(57)【要約】本発明は、医者及び患者によって自動的に使用されることができ、培養及び感度のためのヒトパピローマウイルス（ＨＰＶ）及びＨＰＶをテストするためのＰａｐスミアテストを提供するＨＶＳ及びＰＡＰスミアテスト装置に関し、外部シリンダー（１）、ヘッド（２）、内部面（３）、端部面（４）、リング（１（５））、螺旋形端部（６）、リング（２ａ（７））、内部シリンダー（１（８））、ピストンカバー（９）、シリンダー（１０）、保護カバー（１１）、端部部分（１２）、外部端部面（１３）、内部端部面（１４）、可撓性チューブ（１５）、医療用チューブ（１６）、スプリング（１（１７））、反動シリンダー（１（１８））、ライン（１（１９．ａ））、ライン（２（１９．ｂ））、リング（３（２０））、リング（２ｂ（２１））、スプリング（２（２２））、内部シリンダー（２（２３））、リング（４（２４））、ホール（１（２５））、チップホルダー（２６）、スプリング（３（２７））、反動シリンダー（２（２８））、ホール（２（２９））、円盤（１（３０））、コイル（３１）、リング（５（３２））、リング（６（３３））、ヘッドバー（１（３４））、コットン（３５）、空きスペース（３６）、正確性サイン（３７）、円錐（３８）、円盤（２（３９））、黒ゴム（４０）、後面部（４１）、小型シリンダー（１（４２））、羽（４３）、小型円錐（４４）、小型シリンダー（２（４５））、ヘッドバー（２（４６））、ブラシ（４７）、リング（７（４８））、ブラシブリスター（４９）、シャープエッジ（５０）、ホール（３（５１））によって特徴づけられる。【代表図】図１ａ、２ａ、６ａ、７ａ
2021509632.tif 000002
【特許請求の範囲】
【請求項１】
医者及び患者によって自動的に、かつ、普通に用いられることができ、全ての用途で互いに異なる技術的部品を含み、互いに異なるチップとともに用いられることができるＨＶＳ及びＰａｐスミアテスト装置において、
外部シリンダー（１）、ヘッド（２）、内部面（３）、端部面（４）、リング１（５）、螺旋形端部（６）、リング（２ａ（７））、内部シリンダー（１（８））、ピストンカバー（９）、シリンダー（１０）、保護カバー（１１）、端部部分（１２）、外部端部面（１３）、内部端部面（１４）、可撓性チューブ（１５）、医療用チューブ（１６）、スプリング（１（１７））、反動シリンダー（１（１８））、ライン（１（１９．ａ））、ライン（２（１９．ｂ））、リング（３（２０））、リング（２ｂ（２１））、スプリング（２（２２））、内部シリンダー（２（２３））、リング（４（２４））、ホール（１（２５））、チップホルダー（２６）、スプリング（３（２７））、反動シリンダー（２（２８））、ホール（２（２９））、円盤（１（３０））、コイル（３１）、リング（５（３２））、リング（６（３３））、ヘッドバー（１（３４））、コットン（３５）、空きスペース（３６）、正確性サイン（３７）、円錐（３８）、円盤２（３９）、黒ゴム（４０）、後面部（４１）、小型シリンダー（１（４２））、羽（４３）、小型円錐（４４）、小型シリンダー（２（４５））、ヘッドバー（２（４６））、ブラシ（４７）、リング（７（４８））、ブラシブリスター（４９）、シャープエッジ（５０）、ホール（３（５１））、
を有する、
ことを特徴とするＨＶＳ及びＰａｐスミアテスト装置。
【請求項２】
医者によって用いられるコットンチップ（３５）を有するＨＶＳ及びＰａｐスミアテスト装置において、
１．６〜２．４ｃｍの直径と１０〜１４ｃｍの長さを有する外部シリンダー（１）、外部シリンダー（１）の前で長さ方向に交差してバラ様の形状に開放されるヘッド部分（２）、ヘッドがより容易に出るようにするためのヘッド（２）の薄くて平らな内部面（３）と、コントロールのために湾曲した厚いエッジ部分（４）、外部シリンダー（１）のエッジ部分で１〜１．２ｃｍの厚さを有するリング（１（５））、外部シリンダー（１）及びピストンカバー（９）が互いに一体化されることを保障する螺旋形端部（６）、螺旋形端部（６）をピストンカバー（９）に連結して内部シリンダー（１（８））の移動を保障するリング（２ａ（７））及びリング（２ｂ（２１））、外部シリンダー（１）内で自在に移動する内部シリンダー（１（８））、螺旋形端部（６）と噛み合うピストンカバー（９）、内部シリンダー（１（８））がさらに移動することを防止する、エッジ部分内に１ｍｍの突出部を有するリング（３（２０））、リング（２ａ（７））とリング（４（２４））との間で利用可能なスプリング（２（２２））、内部シリンダー（１（８））の前方から閉鎖されており、中心にヘッド入口のためのホールを有する内部シリンダー（２（２３））、内部シリンダー（２（２３））のエッジでスプリング（２（２２））上に安着するリング（４（２４））、コイル（３１）のエッジ部分でチップホルダー（２６）の進入を保障する真ん中のホール（１（２５））、コットン（３５）ヘッドが挿入されるようにする端部側面開放部を有するチップホルダー（２６）、内部シリンダー（２（２３））の内部で利用可能なスプリング（３（２７））、圧力を提供する反動シリンダー（２（２８））、反動シリンダー（２（２８））が前面のコイル（３１）に連結されることを保障する四角形のホール（２（２９））、反動シリンダー（２（２８））の後面部で母指を利用したプッシュを容易にする円盤円盤（１（３０））、ピストンカバー（９）が再び出ることを防止する円錐（３８）、ピストンカバー（９）が反動シリンダー（２（２８））と互いに一体化されることを保障するホール（３（５１））、反動シリンダー（２（２８））の内部に四角形に形成されたツイストコイル（３１）、コイル（３１）とチップホルダー（２６）との間のリング（５（３２））、チップホルダー（２６）を固定するためのリング（６（３３））、楊枝形態のヘッドバー（１（３４））、ヘッドバー（１（３４））のエッジにあるコットン（３５）、チップホルダー（２６）内に圧が加えられる時にサンプルがヘッドバー（１（３４））の移動とともに採取されるコントロールを保障する空きスペース（３６）、圧を加えた後空きスペース（３６）に向けてプッシュされる時に、装置がエッジに接触することにより装置上の赤い線が見えなくなった後にサンプルが採取されることをコントロールする役割を果たす正確性サイン（３７）部分、
を有する、
ことを特徴とする請求項１に記載のＨＶＳ及びＰａｐスミアテスト装置。
【請求項３】
患者によって自動的に用いられるコットンチップ（３５）及びブラシチップ（４７）を有するＨＶＳ及びＰａｐスミアテスト装置において、
外部シリンダー（１）と統合されたシリンダー（１０）、シリンダー（１０）と小型シリンダー（１（４２））に連結されて２５ｃｍ〜４０ｃｍの長さを有する医療用チューブ（１６）の間の適切な移動を保障する可撓性チューブ（１５）、注射に用いられる医療用注入器と類似する可撓性チューブ（１５）と連結される医療用チューブ（１６）、医療用チューブ（１６）の内部にある、患者によって圧力が加えられた後にＨＶＳ及びＰａｐスミアテスト装置が前の位置に回転することを保障するスプリング（１（１７））、患者によって圧力が加えられることを保障する反動シリンダー１（１８）、患者によって反動シリンダー１（１８）に圧力が加えられる時に、操作が正しく行われたことをコントロールし、医療用チューブ（１６）上にあり、加えられる圧力の開始及び終了を充足するライン（１（１９．ａ））及びライン（２（１９．ｂ））、反動シリンダー（２（２８））のエッジ内の円盤円盤（２（３９））、円盤円盤（２（３９））と一体化された黒ゴム（４０）、シリンダー（１０）のエッジにある後方部（４１）、及び後方部（４１）の中心から通過する小型シリンダー（１（４２））を有する、
ことを特徴とする請求項１に記載のＨＶＳ及びＰａｐスミアテスト装置。
【請求項４】
患者によって自動的に用いられ、また、医者によって用いられるブラシチップ（４７）を有するＨＶＳ及びＰａｐスミアテスト装置において、
ブラシチップ（４７）がコイル（３１）のエッジで完全に回転することを保障する羽（４３）、反動シリンダー２（２８）が一方向２（２９）へホールを通過するようにする小型円錐（４４）、羽（４３）のエッジでブラシチップ（４７）の追加移動を保障する小型シリンダー（２（４５））、チップホルダー（２６）を固定し、システムをロックして、サンプルを採取する手順を容易にし、一方向への回転を保障するリング（７（４８））、リング（７（４８））と一体化されたヘッドバー（２（４６））、ヘッドバー（２（４６））のエッジ内のブラシ（４７）、ブラシ（４７）がさらに回転するようにリング（２ａ（７））とリング（４（２４））との間で利用可能なさらに長いスプリング（２（２２））、ブラシ（４７）がさらに回転するようにさらに長い、内部シリンダー２（２３）内で利用可能なより長いスプリング（３（２７））、ブラシ（４７）上を通過することを保障する一端部が閉鎖されたチップホルダー（２６）、螺旋形及び横方向断面化されたブラシ（４７）ブリスター（４９）、細胞が子宮頸部から容易に採取されることを保障するブラシ（４７）のブリスター（４９）のシャープエッジ（５０）、
を有する、
ことを特徴とする請求項１に記載のＨＶＳ及びＰａｐスミアテスト装置。
【請求項５】
患者によって自動的に用いられ、また、医者によって用いられるコットンチップ（３５）及びブラシチップ（４７）を有するＨＶＳ及びＰａｐスミアテスト装置において、
ヘッド（２）上に装着可能であり、ヘッドを囲む非常に薄くて柔らかい材料で製作された、滑めらかで４ｃｍの長さを有する保護カバー（１１）を有し、保護カバー（１１）は、エッジ側（１２）の曲がった外部エッジ側（１３）及び傾斜した内部エッジ側（１４）を有する、
ことを特徴とする請求項１に記載のＨＶＳ及びＰａｐスミアテスト装置。
【発明の詳細な説明】
【技術分野】
【０００１】
本発明はヒトパピローマウイルス（ＨＰＶ）を女性が本人自らまたは医者が膣から子宮頸部細胞サンプルまたは液体（材料）を採取することができるようにする便宜を提供するＨＶＳ及びＰＡＰスミアテスト装置であって、また、培養感度に関するものである。
【０００２】
子宮頸部は子宮と膣が合わさる領域で、人間の女性の生殖器官で子宮下部を含む。膣から子宮頸部を見ると、膣の端部で半球状を有する。子宮頸部は子宮が膣へ開放される狭い子宮頸部である。これは非常に強い筋肉構造を有する。これは非常にタイトで閉じており、出産の場合のみ開放することができる。子宮頸部はまた感染が子宮に到逹することを防止する重要な障壁の役割を果たす。
【０００３】
ヒトパピローマウイルス（ＨＰＶ）は性的に伝染される最も一般的な感染の一つである。ＨＰＶウイルスは男性の陰茎と球根、外部性器及び女性の子宮頸部に定着する。ウイルスＨＰＶが体に入ると、これは細胞内に定着し、再発性生殖器疣贅（コンジローム）と呼ばれる。これらの症状は手と足、呼吸器官及び性病領域に出現する疣贅である。このウイルスには数百個の互いに異なる下位グループが存在し、このようなグループの中の一部は子宮頸部癌を誘発することと知られている。
【０００４】
ＨＰＶ感染は最も一般的であり、全ての年齢で現われる。ＨＰＶ感染に接触した人はこのウイルスに対する免疫を得ることができない。体が免疫を得ることができないことには二つの理由がある：
【０００５】
・体が感染に強く反応することができないため、人の免疫系が長期的な保護を提供することができない。人の体は同じＨＰＶ類型に対して再び感染危険に直面する虞がある。
・ＨＰＶウイルスまたはこのウイルスに属する粒子は血液と混合せず、細胞で発見される。従って、これはメモリーを作るための免疫も形成しない。
【０００６】
子宮頸部癌は癌以前の病変段階またはその非常に初期段階で接触した時、回復可能性が非常に高い疾病となる。この疾病の早期診断及び治療は非常に重要である。子宮頸部癌の潜伏期は非常に長い。細胞で癌の前駆体である病変の出現から癌の形成までの期間は５〜１０年の間で多様であり、場合によってはより長いことがある。
【０００７】
子宮頸部癌に対し、ＨＰＶ感染を制御するためにスミアテストが行われる。このテストの目的は子宮頸部癌であるか否かを確認し、病変を早期に診断することである。スミアテストはパパニコロー（Ｐａｐａｎｉｃｏｌａｏｕ）テスト、Ｐａｐテスト、子宮頸部スミアテスト、子宮頸部スワブ及び子宮頸部細胞検査とも知られている。このようなテストは人の命を救う効果があるので、ルーティーンとして管理されて行われる。
【０００８】
ＨＶＳ検査ではコットンジェマと類似する装置によって膣分泌サンプルを採取することが含まれる。その後、排出されたスワブを特殊な容器に入れてより高度な分析のために微生物学ラボに送られる。ラボの技術者はバクテリアの繁殖に適する人工環境の生成を試みる。従って、培養及び感度（culture and sensitivity）は、単純にサンプル内のバクテリアを定義する必要性を特定し、除去される抗生物質を特定するために用いられるテストプロセスを意味する。この方法は、微生物学において一般的に使用されており、それは、「培養及び感度」のために、小便サンプルで多様な体の排出物といった多様なサンプルをテストする際に用いられる。産婦人科医は液体から直接採取したサンプルを微生物分析に送る。膣分泌物は染色されて顕微鏡で検査される。
【０００９】
従来の技術で、Ｐａｐスミアテストは、一般的に、患者の婦人科検査中に医者のみによって用いられるためのサンプル収集用デバイスとして用いられる。スミアテストのために、婦人科検査中にエアースパチュラ（ａｙｒｅ  ｓｐａｔｕｌａ）または細胞ブラシによって子宮頸部から膣に排出された細胞が収集される。また、スワブは細胞ブラシによって子宮頸部から獲得される。従来の技術において、サンプルの収集に用いられるデバイスは扁平・円柱上皮境界部（ＳＣＪ）、即ち子宮頸部の外部セクションに置かれた扁平上皮（フラットである）と子宮頸部の管に置かれた円周（円筒状）細胞が合わさる領域に到逹しなければならないため、桿状細胞を収集しにくい。さらに、使用者がデバイスを用いる時には、使用者がデバイスをＳＣＪ領域に正しく配置することができず、使用者がデバイスを配置しようとする時に、使用者がデバイスを体腔内の非常に深い領域に挿入する場合には、負傷する虞があるので、一般的には補助のために、医者のような専門家の指導が必要となる。従来の技術では、このような方式で医者により行われるＰａｐテストは非常に難しく、また、時間がかかる。さらに、女性が定期的にＰａｐスミアテストを受けることができるようにするための医療機関または施設については身近なものではない。
【００１０】
従来の技術では、子宮頸部からサンプルを採取してラム（ｌａｍ）におく時、医者または何れの場所に触れる虞がある。さらに、サンプルが乾燥しないようにしたり細胞形態が損なわれないようにするために、サンプルをラボに送る必要がある。本発明によれば、医者によって用いられることができるセルフ−自動ＨＶＳ及びＰａｐスミアテスト装置はいかなる場所にも触れることなくラボ環境に移送される。この装置は患者によって自動的に使用され、または医者によって使用されるものであり、細胞を容易に収集するように開発されたものである。特に、培養及び感度そして子宮頸部腫瘍の早期診断及び予防のために高膣スワブを採取してＰａｐスミア検査が使用される。
【００１１】
本発明は患者自身または医者がこのようなテストを適用することができることを保障し、このような技術では特に消毒綿を用いて外部生殖器を完全に殺菌する必要がないので、使用者にとって親和的な技術である。デバイスはデバイスの進入を容易にするように清浄な潤滑油を有する。本発明、即ちＨＶＳ及びＰａｐスミアテスト装置の正確性サインによって、使用者は組職に接触しことが分かる。
【００１２】
このような発明、即ちＨＶＳ及びＰａｐスミアテスト装置は、技術の公知の条件での短所を取り除き、従来の技術の問題点に対する新しい解決策を取り入れる。
【００１３】
本発明の構造的及び特徴的属性及び全ての長所は図面を参照してなされた以下に記述される説明によってより理解されることができ、それに対する評価はこれらの図面及び詳細な説明を考慮して行われるべきである。
【図面の簡単な説明】
【００１４】
【図１ａ】自動的に用いられるコットンチップＨＶＳ及びＰａｐスミアテスト装置の外観である。
【図１ｂ】自動的に用いられるコットンチップＨＶＳ及びＰａｐスミアテスト装置の保護カバーの外観である。
【図１ｃ】自動的に用いられるＨＶＳ及びＰａｐスミアテスト装置のコットンチップの外観である。
【図２ａ】医者によって用いられるコットンチップＨＶＳ及びＰａｐスミアテスト装置の閉じた状態の側面図である。
【図２ｂ】医者によって用いられるコットンチップＨＶＳ及びＰａｐスミアテスト装置の開かれた状態の側面図である。
【図３ａ】自動的に用いられるコットンチップＨＶＳ及びＰａｐスミアテスト装置の閉じた状態の側面図である。
【図３ｂ】自動的に用いられるコットンチップＨＶＳ及びＰａｐスミアテスト装置の開かれた状態の側面図である。
【図４】医者によって用いられるコットンチップＨＶＳ及びＰａｐスミアテスト装置の取り外された状態を上から見た外観である。
【図５】自動的に用いられるコットンチップＨＶＳ及びＰａｐスミアテスト装置が取り外された状態を上から見た外観である。
【図６ａ】医者によって用いられるブラシチップＨＶＳ及びＰａｐスミアテスト装置の閉じた状態の側面図である。
【図６ｂ】医者によって用いられるブラシチップＨＶＳ及びＰａｐスミアテスト装置の開かれた状態の側面図である。
【図７ａ】自動的に用いられるブラシチップＨＶＳ及びＰａｐスミアテスト装置の閉じた状態の側面図である。
【図７ｂ】自動的に用いられるブラシチップＨＶＳ及びＰａｐスミアテスト装置の開かれた状態の側面図である。
【図７ｃ】自動的に用いられるＨＶＳ及びＰａｐスミアテスト装置のブラシチップの側面図である。
【図８】医者によって用いられるブラシチップＨＶＳ及びＰａｐスミアテスト装置が取り外された状態を上から見た図である。
【図９】自動的に用いられるブラシチップＨＶＳ及びＰａｐスミアテスト装置が取り外された状態を上から見た図である。
【図１０ａ】医者によって用いられるブラシチップＨＶＳ及びＰａｐスミアテスト装置の外観である。
【図１０ｂ】医者によって用いられるブラシチップＨＶＳ及びＰａｐスミアテスト装置の保護カバーの外観である。
【図１０ｃ】医者によって用いられるブラシチップＨＶＳ及びＰａｐスミアテスト装置の外観である。
【図１１ａ】医者によって用いられるコットンチップＨＶＳ及びＰａｐスミアテスト装置の外観である。
【図１１ｂ】医者によって用いられるコットンチップＨＶＳ及びＰａｐスミアテスト装置の保護カバーの外観である。
【図１１ｃ】医者によって用いられるＨＶＳ及びＰａｐスミアテスト装置のコットンチップの外観である。
【図１２ａ】自動的に用いられるブラシチップＨＶＳ及びＰａｐスミアテスト装置の外観である。
【図１２ｂ】自動的に用いられるブラシチップＨＶＳ及びＰａｐスミアテスト装置の保護カバーの外観である。
【図１２ｃ】自動的に用いられるＨＶＳ及びＰａｐスミアテスト装置のブラシチップの外観である。
【発明を実施するための形態】
【００１５】
本発明は培養感度のためのヒトパピローマウイルス（ＨＰＶ）及びＨＳＶテストのために、Ｐａｐスミアテストが行われることを保障する、女性自らまたは医者によって用いられるＨＶＳ及びＰａｐスミアテスト装置の次のような構成要素：外部シリンダー１、ヘッド２、内部面３、端部面４、リング１（５）、螺旋形端部６、リング２ａ（７）、内部シリンダー１（８）、ピストンカバー９、シリンダー１０、保護カバー１１、端部部分１２、外部端部面１３、内部端部面１４、可撓性チューブ１５、医療用チューブ１６、スプリング１（１７）、反動シリンダー１（１８）、ライン１（１９．ａ）、ライン２（１９．ｂ）、リング３（２０）、リング２ｂ（２１）、スプリング２（２２）、内部シリンダー２（２３）、リング４（２４）、ホール１（２５）、チップホルダー２６、スプリング３（２７）、反動シリンダー２（２８）、ホール２（２９）、円盤１（３０）、コイル３１、リング５（３２）、リング６（３３）、ヘッドバー１（３４）、コットン３５、空きスペース３６、正確性サイン３７、円錐３８、円盤２（３９）、黒ゴム４０、後面部４１、小型シリンダー１（４２）、羽４３、小型円錐４４、小型シリンダー２（４５）、ヘッドバー２（４６）、ブラシ４７、リング７（４８）、ブラシブリスター４９、シャープエッジ５０、ホール３（５１）によって特徴づけられる。
【００１６】
医者によって用いられるコットンチップ３５を有する本発明のＨＶＳ及びＰａｐスミアテスト装置の構成要素は：
・１．６〜２．４ｃｍの直径と１０〜１４ｃｍの長さを有する外部シリンダー１、
・外部シリンダー１の前で長さ方向に交差してバラ様の形状に開放されるヘッド部分２、
・ヘッドがより容易に外に出るようにするためのヘッド２の薄くて平らな内部面３と、コントロールのために湾曲した厚いエッジ部分４、
・外部シリンダー１のエッジ部分で１〜１．２ｃｍの厚さを有するリング１（５）、
・外部シリンダー１及びピストンカバー９が互いに一体化されることを保障する螺旋形端部６、
・螺旋形端部６をピストンカバー９に連結して内部シリンダー１（８）の移動を保障するリング２ａ（７）及びリング２ｂ（２１）、
・外部シリンダー１内で自在に移動する内部シリンダー１（８）、
・螺旋形端部６と噛み合うピストンカバー９、
・内部シリンダー１（８）がさらに移動することを防止する、エッジ部分内に１ｍｍの突出部を有するリング３（２０）、
・リング２ａ（７）とリング４（２４）との間で利用可能なスプリング２（２２）、
・内部シリンダー１（８）の前方から閉鎖されており、中心にヘッド入口のためのホールを有する内部シリンダー２（２３）、
・内部シリンダー２（２３）のエッジでスプリング２（２２）上に安着するリング４（２４）、
・コイル３１のエッジ部分でチップホルダー２６の進入を保障する真ん中のホール１（２５）、
・コットン３５ヘッドが挿入されるようにする端部側面開放部を有するチップホルダー２６、
・内部シリンダー２（２３）の内部で利用可能なスプリング３（２７）、
・医者がＨＶＳ及びＰａｐスミアテスト装置に圧力を提供することを保障する反動シリンダー２（２８）、
・反動シリンダー２（２８）が前面のコイル３１に連結されることを保障する四角形のホール２（２９）、
・反動シリンダー２（２８）の後面部で母指を利用したプッシュを容易にする円盤１（３０）、
・ピストンカバー９が再び出ることを防止する円錐３８、
・ピストンカバー９が反動シリンダー２（２８）と互いに一体化されることを保障するホール３（５１）、
・反動シリンダー２（２８）の内部に四角形に形成されたツイストコイル３１、
・コイル３１とチップホルダー２６との間のリング５（３２）、
・チップホルダー２６を固定するためのリング６（３３）、
・楊枝形態のヘッドバー１（３４）、
・ヘッドバー１（３４）のエッジにあるコットン３５、
・チップホルダー２６内のＨＶＳ及びＰａｐスミアテスト装置に圧が加えられる時に、サンプルがヘッドバー１（３４）の移動とともに獲得されるコントロールを保障する空きスペース３６、
・ＨＶＳ及びＰａｐスミアテスト装置に圧を加えた後空きスペース３６に向けてプッシュされる時、装置がエッジに接触することにより装置上の赤い線が見えなくなり、その後サンプルを採取するための役割を果たす正確性サイン３７部分で構成される。
【００１７】
患者によって自動的に用いられる本発明のコットンチップ３５及びブラシチップ４７を有するＨＶＳ及びＰａｐスミアテスト装置の構成要素は：
・患者によって自動的に用いられるＨＶＳ及びＰＡＰスミアテスト装置内の外部シリンダー１と統合されたシリンダー１０、
・反動シリンダー２（２８）のエッジにおいて円盤１（３０）の代わりとなる円盤２（３９）、
・円盤２（３９）と一体化された黒ゴム４０、
・シリンダー１０のエッジに現れる後面部４１、
・後面部４１の中心を通過する小型シリンダー１（４２）、
・シリンダー１０と小型シリンダー１（４２）に連結されて２５ｃｍ〜４０ｃｍの長さを有する医療用チューブ１６の間の適切な移動を保障する可撓性チューブ１５、
・注射に用いられる医療用注入器と類似する可撓性チューブ１５と連結される医療用チューブ１６、
・医療用チューブ１６の内部にある、患者によって圧が加えられた後にＨＶＳ及びＰＡＰスミアテスト装置が前の位置に回転することを保障するスプリング１（１７）、
・患者によって圧が加えられることを保障する反動シリンダー１（１８）、
・患者によって反動シリンダー１（１８）に圧が加えられる時に操作が正しく行われたことをコントロールし、医療用チューブ１６上にあり、加えられる圧の開始及び終了を充足するライン１（１９．ａ）及びライン２（１９．ｂ）で構成される。
【００１８】
患者によって自動に用いられ、医者によって用いられるブラシチップ４７を有する本発明のＨＶＳ及びＰＡＰスミアテスト装置の構成要素は：
・ブラシチップ４７がコイル３１のエッジで完全に回転することを保障する羽４３、
・反動シリンダー２（２８）が一方向２（２９）にホールを貫通するようにする小型円錐４４、
・羽４３のエッジでブラシチップ４７の追加移動を保障する小型シリンダー２（４５）、
・チップホルダー２６を固定し、システムをロックして、サンプルを採取する手順を容易にし、一方向への回転を保障するリング７（４８）、
・リング７（４８）と一体化されたヘッドバー２（４６）、
・ヘッドバー２（４６）のエッジ内のブラシ４７、
・ブラシ４７がさらに回転するようリング２ａ（７）とリング４（２４）との間で利用可能なより長いスプリング２（２２）、
・ブラシ４７がさらに回転するようにより長い、内部シリンダー２（２３）内で利用可能なより長いスプリング３（２７）、
・ブラシ４７上で通過することを保障する一端部が閉鎖されたチップホルダー２６、
・螺旋形及び横方向断面化されたブラシ４７ブリスター４９、
・細胞が子宮頸部から容易に採取されることを保障するブラシ４７ブリスター４９のシャープエッジ５０で構成される。
【００１９】
患者によって自動に用いられ、また医者に用いられるコットンチップ３５及びブラシチップ４７を有する本発明のＨＶＳ及びＰａｐスミアテスト装置の構成要素は：
・ヘッド２上に装着可能で、ヘッドを囲む非常に薄くて柔らかい材料（ラテックス）で製作された、滑めらかで４ｃｍの長さを有する保護カバー１１、
・保護カバー１１のエッジ側１２の曲がった外部エッジ側１３及び傾斜した内部エッジ側１４で構成される。
【００２０】
本発明は患者によって自動的に用いられ、また医者によって用いられる。このデバイスは膣の深い所からヒトパピローマウイルス（ＨＰＶ）に対する子宮頸部細胞サンプル及び培養感度または膣の深い所からの液体を採取することができるという便宜性を提供する。このデバイスで、ブラシチップ４７は子宮頸部細胞サンプルを採取することができ、コットンチップ３５は膣から液体を採取することができるように用いられる。
【００２１】
本発明は移動式シリンダー及びスプリングで構成され、それによって圧が加えられる場合、ＨＶＳ及びＰａｐスミアテスト装置のヘッド部分２が開かれ、コットン３５またはブラシ４７のチップが関連領域からサンプルを採取してシリンダーから離れて関連領域からサンプルを採取することでシリンダーを閉める。従って、採取されたサンプルがどこにも接触しなくなる。突出された子宮頸部から容易にサンプルを採取することができるように、ブラシ４７のブリスター４９は螺旋形で長く、エッジが鋭くて完全な回転を確保する。
【００２２】
本発明では、その潤滑性によって所望の深さに容易に到逹し、簡単なプッシュで容易に破れることができる可撓性保護カバー１１を有するヘッドが抜け出る。患者が手順を理解した際には、本発明では医療用チューブ１６上のライン１（１９．ａ）及びライン２（１９．ｂ）によってＨＶＳ及びＰａｐスミアテスト装置が所望の深さに到逹するように保障することになり、患者に痛みを与えることがない。コットン３５のチップに圧が加えられると、正確性サイン３７上の赤い線が見えなくなる。従って、使用者は正確性サイン３７を利用してサンプルが採取されることができるように確実にコントロールすることができる。
【００２３】
本発明は自動的に用いられるＨＶＳ及びＰａｐスミアテスト装置において反動シリンダー１８に受動で作用させるプッシュ操作によって可撓性チューブ１５から外部シリンダー１に力を伝達することによってヘッド部分２が開放されることを保障する。子宮頸部及び膣の深い所で採取されたサンプルはどこにも触れずにラボに移送することができる。
【００２４】
本発明の長所は：
・膣部位の痛みや不快感を誘発せず、
・ＨＶＳ及びＰａｐスミアテスト装置のヘッド部分２の外側がカーブして凹凸がないので、膣の深い所までプッシュする時に痛みが発生せず、
・ＨＶＳ及びＰａｐスミアテスト装置で操作が終わると、システムを停止させる必要がなく自動的に終了される。
・目標組職にタッチすると、正確性サイン３７の赤い線が見えなくなり、それにより確認ができる。
・片手に装着され、他の手で操作されるＨＶＳ及びＰａｐスミアテスト装置は膣内部の可撓性チューブ１５によるコントロールを保障する。
・保護カバー１１によってＨＶＳ及びＰａｐスミアテスト装置が細菌から守られる。
・ブラシ４７チップの自動的な回転によってＨＶＳ及びＰａｐスミアテスト装置が子宮頸部に十分接触する。
【００２５】
全ての請求範囲及び他の全ての特徴で言及された技術は参照番号が続き、これら参照番号は請求範囲を容易に理解するために用いられるものであるので、例示的な説明のためにそれぞれの参照番号で明示された動作段階の中のいずれも発明の範疇を制限するものと理解してはならない。
【００２６】
本発明が属する技術分野において通常の知識を有する者は、類似する構造を用いることにより、及び／またはこのような構造を関連技術で用いられる類似する目的で他の領域に適用することにより本発明の革新を提案することができることが明らかである。従って、このような構造には革新、特に最新技術を超える基準がないことが明らかである。
【符号の説明】
【００２７】
１．外部シリンダー
２．ヘッド
３．内部面
４．端部面
５．リング１
６．螺旋形端部
７．リング２ａ
８．内部シリンダー１
９．ピストンカバー
１０．シリンダー
１１．保護カバー
１２．端部部分
１３．外部端部面
１４．内部端部面
１５．可撓性チューブ
１６．医療用チューブ
１７．スプリング１
１８．反動シリンダー１
１９．ａ．ライン１
１９．ｂ．ライン２
２０．リング３
２１．リング２ｂ
２２．スプリング２
２３．内部シリンダー２
２４．リング４
２５．ホール１
２６．チップホルダー
２７．スプリング３
２８．反動シリンダー２
２９．ホール２
３０．円盤１
３１．コイル
３２．リング５
３３．リング６
３４．ヘッドバー１
３５．コットン
３６．空きスペース
３７．正確性サイン
３８．円錐
３９．円盤２
４０．黒ゴム
４１．後面部
４２．小型シリンダー１
４３．羽
４４．小型円錐
４５．小型シリンダー２
４６．ヘッドバー２
４７．ブラシ
４８．リング７
４９．ブラシブリスター
５０．シャープエッジ
５１．ホール３
【図１ａ】
2021509632.tif 000003
【図１ｂ】
2021509632.tif 000004
【図１ｃ】
2021509632.tif 000005
【図２ａ】
2021509632.tif 000006
【図２ｂ】
2021509632.tif 000007
【図３ａ】
2021509632.tif 000008
【図３ｂ】
2021509632.tif 000009
【図４】
2021509632.tif 000010
【図５】
2021509632.tif 000011
【図６ａ】
2021509632.tif 000012
【図６ｂ】
2021509632.tif 000013
【図７ａ】
2021509632.tif 000014
【図７ｂ】
2021509632.tif 000015
【図７ｃ】
2021509632.tif 000016
【図８】
2021509632.tif 000017
【図９】
2021509632.tif 000018
【図１０ａ】
2021509632.tif 000019
【図１０ｂ】
2021509632.tif 000020
【図１０ｃ】
2021509632.tif 000021
【図１１ａ】
2021509632.tif 000022
【図１１ｂ】
2021509632.tif 000023
【図１１ｃ】
2021509632.tif 000024
【図１２ａ】
2021509632.tif 000025
【図１２ｂ】
2021509632.tif 000026
【図１２ｃ】
2021509632.tif 000027
【国際調査報告】
2021509632.tif 000028
2021509632.tif 000029
2021509632.tif 000030